(57)【要約】【課題】コギングトルクの低減が図られたロータが、簡易な製造工程により得られるロータの製造方法、を提供する。【解決手段】ロータの製造方法は、ロータコアの軸方向に対して傾いて設けられる複数の永久磁石３６を備えるロータの製造方法である。ロータの製造方法は、永久磁石３６を製造する工程と、ロータコアの外周上に複数の永久磁石３６を設ける工程とを備える。永久磁石３６を製造する工程は、第１面４１および第２面４２の平面視が平行四辺形となり、第３面４３および第４面４４が互いに平行となり、第５面４５および第６面４６が、第３面４３から第４面４４に向けて平面状に延在する形状を、磁石ブロックに形成する工程を含む。ロータコアの外周上に複数の永久磁石３６を設ける工程は、隣り合う永久磁石３６間において、第５面４５および第６面４６を互いに向かい合わせとする工程を含む。【選択図】図１７
2017208977.tif 000002
【特許請求の範囲】
【請求項１】
ロータコアと、前記ロータコアの外周上に周方向に並んで配置され、前記ロータコアの軸方向に対して傾いて設けられる複数の永久磁石とを備えるロータの製造方法であって、
前記永久磁石を製造する工程と、
前記ロータコアの外周上に複数の前記永久磁石を設ける工程とを備え、
前記永久磁石を製造する工程は、
薄板状の磁石ブロックを準備する工程と、
前記磁石ブロックを加工することによって、厚み方向において互いに表裏に配置される第１面および第２面と、前記第１面および前記第２面に連なり、互いに表裏に配置される第３面および第４面と、前記第１面、前記第２面、前記第３面および前記第４面に連なり、互いに表裏に配置される第５面および第６面とを含み、前記第１面および前記第２面の平面視が平行四辺形となり、前記第３面および前記第４面が互いに平行となり、前記第５面および前記第６面が、前記第３面から前記第４面に向けて平面状に延在する形状を、前記磁石ブロックに形成する工程とを含み、
前記ロータコアの外周上に複数の永久磁石を設ける工程は、
前記第１面が、前記ロータコアの外周面と向かい合わせとなり、前記第３面および前記第４面が、それぞれ、前記ロータコアの軸方向における前記永久磁石の両端に位置決めされ、互いに隣り合う前記永久磁石間において、前記第５面および前記第６面が向かい合わせとなるように、前記ロータコアの外周上に複数の前記永久磁石を配置する工程を含む、ロータの製造方法。
【請求項２】
前記磁石ブロックを準備する工程は、
薄板状の磁石ブロックをその厚み方向に切断することによって、前記磁石ブロックの分割体を得る工程と、
前記磁石ブロックの分割体を互いに接合することによって、元の前記磁石ブロックに対応する形状を有する磁石ブロックを得る工程とを含む、請求項１に記載のロータの製造方法。
【請求項３】
前記磁石ブロックの分割体を互いに接合する工程は、前記磁石ブロックの分割体を一方向に積層する工程を含み、
前記磁石ブロックを加工する工程は、前記磁石ブロックの分割体の積層方向において両端に位置する前記磁石ブロックの端面を加工する工程を含む、請求項２に記載のロータの製造方法。
【請求項４】
前記永久磁石を製造する工程は、前記磁石ブロックを加工する工程の後に、前記磁石ブロックの表面を塗装する工程をさらに含む、請求項２または３に記載のロータの製造方法。
【請求項５】
前記永久磁石を製造する工程は、前記磁石ブロックを加工することによって、前記第１面および前記第２面が、前記第５面から前記第６面に向けて円弧状に延在する形状を、前記磁石ブロックに形成する工程をさらに含む、請求項１から４のいずれか１項に記載のロータの製造方法。
【請求項６】
ロータコアと、
前記ロータコアの外周上に周方向に並んで配置され、前記ロータコアの軸方向に対して傾いて設けられる複数の永久磁石とを備え、
前記永久磁石は、互いに表裏に配置される第１面および第２面と、前記第１面および前記第２面に連なり、互いに表裏に配置される第３面および第４面と、前記第１面、前記第２面、前記第３面および前記第４面に連なり、互いに表裏に配置される第５面および第６面とを含み、前記第１面および前記第２面の平面視が平行四辺形となり、前記第３面および前記第４面が互いに平行となり、前記第５面および前記第６面が、前記第３面から前記第４面に向けて平面状に延在する形状を有し、
複数の前記永久磁石は、前記第１面が、前記ロータコアの外周面と向かい合わせとなり、前記第３面および前記第４面が、それぞれ、前記ロータコアの軸方向における前記永久磁石の両端に位置決めされ、互いに隣り合う前記永久磁石間において、前記第５面および前記第６面が向かい合わせとなるように、前記ロータコアの外周上に配置されている、ロータ。
【請求項７】
前記永久磁石は、磁石ブロックの分割体が互いに接合されてなる、請求項６に記載のロータ。
【請求項８】
前記第１面および前記第２面は、前記第５面から前記第６面に向けて円弧状に延在する形状を有する、請求項６または７に記載のロータ。
【発明の詳細な説明】
【技術分野】
【０００１】
この発明は、ロータの製造方法およびロータに関する。
【背景技術】
【０００２】
従来のロータに関して、たとえば、特開２００６−１０９５９０号公報には、コギングトルクの低減を図りつつ、ロータの製造工程を簡略化することを目的とした、ブラシレスモータが開示されている（特許文献１）。特許文献１に開示されたブラシレスモータは、ロータと、回転中心軸からスキューした方向に並んで配置され、ロータの外周面に接着された複数の永久磁石とを有する。ロータの外周面には、接着剤を充填するための充填溝が形成されている。
【先行技術文献】
【特許文献】
【０００３】
【特許文献１】特開２００６−１０９５９０号公報
【発明の概要】
【発明が解決しようとする課題】
【０００４】
上述の特許文献１に開示されるように、コギングトルクを低減するために、永久磁石がロータの回転軸に対して斜め（スキュー）に設けられたロータが知られている。このようなロータにおいて、永久磁石の理想的なスキュー形状は、ロータの回転軸に対して平行な永久磁石を回転軸を中心に捩じった形状である。しかしながら、そのような理想的なスキュー形状を得ようとすると、永久磁石の製造工程が複雑となる。
【０００５】
そこでこの発明の目的は、上記の課題を解決することであり、コギングトルクの低減が図られたロータが、簡易な製造工程により得られるロータの製造方法およびロータを提供することである。
【課題を解決するための手段】
【０００６】
この発明に従ったロータの製造方法は、ロータコアと、ロータコアの外周上に周方向に並んで配置され、ロータコアの軸方向に対して傾いて設けられる複数の永久磁石とを備えるロータの製造方法である。ロータの製造方法は、永久磁石を製造する工程と、ロータコアの外周上に複数の永久磁石を設ける工程とを備える。永久磁石を製造する工程は、薄板状の磁石ブロックを準備する工程と、磁石ブロックを加工することによって、厚み方向において互いに表裏に配置される第１面および第２面と、第１面および第２面に連なり、互いに表裏に配置される第３面および第４面と、第１面、第２面、第３面および第４面に連なり、互いに表裏に配置される第５面および第６面とを含み、第１面および第２面の平面視が平行四辺形となり、第３面および第４面が互いに平行となり、第５面および第６面が、第３面から第４面に向けて平面状に延在する形状を、磁石ブロックに形成する工程とを含む。ロータコアの外周上に複数の永久磁石を設ける工程は、第１面が、ロータコアの外周面と向かい合わせとなり、第３面および第４面が、それぞれ、ロータコアの軸方向における永久磁石の両端に位置決めされ、互いに隣り合う永久磁石間において、第５面および第６面が向かい合わせとなるように、ロータコアの外周上に複数の永久磁石を配置する工程を含む。
【０００７】
このように構成されたロータの製造方法によれば、磁石ブロックを、第５面および第６面が第３面から第４面に向けて平面状に延在するスキュー形状に加工する。これにより、コギングトルクが低減されたロータを、簡易な工程により得ることができる。
【０００８】
また好ましくは、磁石ブロックを準備する工程は、薄板状の磁石ブロックをその厚み方向に切断することによって、磁石ブロックの分割体を得る工程と、磁石ブロックの分割体を互いに接合することによって、元の磁石ブロックに対応する形状を有する磁石ブロックを得る工程とを含む。
【０００９】
このように構成されたロータの製造方法によれば、渦電流損の発生が抑制されるロータを、簡易な工程により得ることができる。
【００１０】
また好ましくは、磁石ブロックの分割体を互いに接合する工程は、磁石ブロックの分割体を一方向に積層する工程を含む。磁石ブロックを加工する工程は、磁石ブロックの分割体の積層方向において両端に位置する磁石ブロックの端面を加工する工程を含む。
【００１１】
このように構成されたロータの製造方法によれば、磁石ブロックの分割体の積層方向における永久磁石の長さを、精度よく調整することができる。
【００１２】
また好ましくは、永久磁石を製造する工程は、磁石ブロックを加工する工程の後に、磁石ブロックの表面を塗装する工程をさらに含む。
【００１３】
このように構成されたロータの製造方法によれば、磁石ブロックの分割体を個々に塗装する場合と比較して、塗装工程を簡略化することができる。
【００１４】
また好ましくは、永久磁石を製造する工程は、磁石ブロックを加工することによって、第１面および第２面が、第５面から第６面に向けて円弧状に延在する形状を、磁石ブロックに形成する工程をさらに含む。
【００１５】
このように構成されたロータの製造方法によれば、磁石ブロックの第１面および第２面を、ロータコアの特性に応じた形状に加工することができる。
【００１６】
この発明に従ったロータは、ロータコアと、ロータコアの外周上に周方向に並んで配置され、ロータコアの軸方向に対して傾いて設けられる複数の永久磁石とを備える。永久磁石は、互いに表裏に配置される第１面および第２面と、第１面および第２面に連なり、互いに表裏に配置される第３面および第４面と、第１面、第２面、第３面および第４面に連なり、互いに表裏に配置される第５面および第６面とを含み、第１面および第２面の平面視が平行四辺形となり、第３面および第４面が互いに平行となり、第５面および第６面が、第３面から第４面に向けて平面状に延在する形状を有する。複数の永久磁石は、第１面が、ロータコアの外周面と向かい合わせとなり、第３面および第４面が、それぞれ、ロータコアの軸方向における永久磁石の両端に位置決めされ、互いに隣り合う永久磁石間において、第５面および第６面が向かい合わせとなるように、ロータコアの外周上に配置されている。
【００１７】
このように構成されたロータによれば、永久磁石が、第５面および第６面が第３面から第４面に向けて平面状に延在するスキュー形状を有する。これにより、コギングトルクが低減されたロータの製造工程を、簡易化することができる。
【００１８】
また好ましくは、永久磁石は、磁石ブロックの分割体が互いに接合されてなる。
このように構成されたロータによれば、渦電流損の発生を抑制することができる。
【００１９】
また好ましくは、第１面および第２面は、第５面から第６面に向けて円弧状に延在する形状を有する。
【００２０】
このように構成されたロータによれば、永久磁石の第１面および第２面を、ロータの特性に応じた形状とすることができる。
【発明の効果】
【００２１】
以上に説明したように、この発明に従えば、コギングトルクの低減が図られたロータが、簡易な製造工程により得られるロータの製造方法およびロータを提供することができる。
【図面の簡単な説明】
【００２２】
【図１】この発明の実施の形態１におけるロータを示す斜視図である。
【図２】図１中のロータを構成する永久磁石を示す三面図である。
【図３】図１中の矢印ＩＩＩに示す方向から見た永久磁石を示す図である。
【図４】この発明の実施の形態１におけるロータの製造方法の第１工程を示す図である。
【図５】この発明の実施の形態１におけるロータの製造方法の第２工程を示す図である。
【図６】この発明の実施の形態１におけるロータの製造方法の第３工程を示す図である。
【図７】この発明の実施の形態１におけるロータの製造方法の第４工程を示す図である。
【図８】この発明の実施の形態１におけるロータの製造方法の第４工程を示す図である。
【図９】図６中に示す分割体接合ブロックの第１変形例を示す斜視図である。
【図１０】図６中に示す分割体接合ブロックの第２変形例を示す図である。
【図１１】理想的なスキューの基本概念を示す斜視図である。
【図１２】理想的なスキューの基本概念を示す斜視図である。
【図１３】図１２中の矢印ＸＩＩＩに示す方向から見た永久磁石を示す図である。
【図１４】本実施の形態におけるスキュー形状と、理想的なスキュー形状とのずれ（ステータとのギャップ側）を示すグラフである。
【図１５】本実施の形態におけるスキュー形状と、理想的なスキュー形状とのずれ（ロータコア側）を示すグラフである。
【図１６】比較例におけるスキュー形状を有する永久磁石を示す図である。
【図１７】この発明の実施の形態２におけるロータを構成する永久磁石を示す三面図である。
【図１８】この発明の実施の形態３におけるロータを構成する永久磁石を示す図である。
【発明を実施するための形態】
【００２３】
この発明の実施の形態について、図面を参照して説明する。なお、以下で参照する図面では、同一またはそれに相当する部材には、同じ番号が付されている。
【００２４】
（実施の形態１）
図１は、この発明の実施の形態１におけるロータを示す斜視図である。図１を参照して、本実施の形態におけるロータ１０は、ロータ１０の外周上に隙間（ギャップ）を設けて配置されるステータ（不図示）と対をなしてモータを構成する。ロータ１０は、マシニングセンタの主軸を回転駆動させるモータに用いられる。
【００２５】
ロータ１０は、図中に示す仮想上の中心軸１０１を中心に回転可能なように支持されている。ロータ１０は、モータの稼働時、中心軸１０１を回転中心として回転する。ロータ１０の最高回転数は、たとえば、１００００ｒｐｍ以上である。
【００２６】
図２は、図１中のロータを構成する永久磁石を示す三面図である。図１および図２を参照して、ロータ１０は、ロータコア２１と、複数の永久磁石３１とを有する。
【００２７】
ロータコア２１は、円筒形状を有する。ロータコア２１は、中心軸１０１を中心にその軸方向に円筒状に延びる形状を有する。ロータコア２１は、端面２３および端面２４を有する。端面２３および端面２４は、それぞれ、中心軸１０１の軸方向におけるロータコア２１の一方端および他方端に配置されている。端面２３および端面２４は、中心軸１０１に直交する平面内で延在する。
【００２８】
ロータコア２１は、磁性材料から形成されている。本実施の形態では、ロータコア２１が、複数枚の電磁鋼板が中心軸１０１の軸方向に積層されることによって構成されている。
【００２９】
複数の永久磁石３１は、ロータコア２１の外周上に設けられている。複数の永久磁石３１は、中心軸１０１を中心とする周方向に間隔を設けて配置されている。複数の永久磁石３１は、等間隔に配置されている。永久磁石３１は、接着剤によりロータコア２１の外周面に接合されている。
【００３０】
永久磁石３１は、磁石ブロックの分割体３２（以下、「ブロック分割体３２」ともいう）が互いに接合されることによって構成されている（図２中の永久磁石３１の正面図を参照のこと）。
【００３１】
ブロック分割体３２は、中心軸１０１の軸方向に沿って積層されている。ブロック分割体３２同士は、接着剤により接合されている。本実施の形態では、５５個のブロック分割体３２が互いに接合されることによって、永久磁石３１が構成されている。一例として、各ブロック分割体３２の厚みは、２ｍｍである。
【００３２】
このように永久磁石３１を複数のブロック分割体３２の接合体から構成することによって、モータの稼動時、ロータ１０における渦電流損の発生を抑制することができる。
【００３３】
永久磁石３１の表面（後述する第１面４１、第２面４２、第３面４３、第４面４４、第５面４５および第６面４６）には、塗装が施されている。ブロック分割体３２同士の接合面には、塗装が施されていない。
【００３４】
永久磁石３１は、ロータコア２１の軸方向（中心軸１０１の軸方向）に対して傾いて設けられるスキュー形状を有する。以下、永久磁石３１が有するスキュー形状について、具体的に説明する。
【００３５】
永久磁石３１は、第１面４１と、第２面４２と、第３面４３と、第４面４４と、第５面４５と、第６面４６とを有する。
【００３６】
第１面４１および第２面４２は、互いに表裏に配置されている。第１面４１は、ロータコア２１の外周面と向かい合わせに配置されている。永久磁石３１は、ロータコア２１の外周面と第１面４１との間に介挿された接着剤によって、ロータコア２１に接合されている。第２面４２は、ロータ１０と隙間を設けて配置されるステータ（不図示）と向かい合わせとなる。
【００３７】
第１面４１および第２面４２は、第３面４３、第４面４４、第５面４５および第６面４６よりも大きい面積を有する。第１面４１および第２面４２は、中心軸１０１の半径方向から見た場合に平行四辺形の平面視を有する。第１面４１および第２面４２は、中心軸１０１を中心とする周方向において円弧状に延びる湾曲面から構成されている。第１面４１および第２面４２の、中心軸１０１の軸方向に沿った端辺は、第１面４１および第２面４２の、中心軸１０１を中心とする周方向に沿った端辺よりも長い。
【００３８】
なお、第１面４１および第２面は、上記の湾曲面から構成される形状に限られない。たとえば、ロータコア２１の外周面が多角形断面である場合、第１面４１は、そのロータコア２１の外周面に合わせて、平面形状を有してもよい。第２面４２は、モータの特性に合わせて、平面形状や、周方向において中高の円弧状に延びる湾曲形状を有してもよい。
【００３９】
第３面４３および第４面４４は、第１面４１および第２面４２に連なり、互いに表裏に配置されている。第３面４３および第４面４４は、それぞれ、中心軸１０１の軸方向における永久磁石３１の両端に位置決めされている。
【００４０】
第３面４３は、中心軸１０１の軸方向においてロータコア２１の端面２３と同じ側に配置され、第４面４４は、中心軸１０１の軸方向においてロータコア２１の端面２４と同じ側に配置されている。第３面４３は、ロータコア２１の端面２３と面一となるように配置され、第４面４４は、ロータコア２１の端面２４と面一となるように配置されている。
【００４１】
第３面４３および第４面４４は、平面形状を有する。第３面４３および第４面４４は、中心軸１０１に直交する平面内に配置されている。第３面４３および第４面４４は、互いに平行である。第３面４３および第４面４４は、中心軸１０１の軸方向から見た場合に、中心軸１０１を中心にその周方向に帯状に延びている。第３面４３および第４面４４は、平行四辺形の平面視を有する第１面４１および第２面４２の、中心軸１０１を中心とする周方向に沿った端辺に連なっている。
【００４２】
第５面４５および第６面４６は、第１面４１、第２面４２、第３面４３および第４面４４に連なり、互いに表裏に配置されている。互いに隣り合う永久磁石３１間において、第５面４５および第６面４６は、向かい合わせとなるように配置されている。
【００４３】
第５面４５および第６面４６は、第３面４３から第４面４４に向けて平面状に延在している。第５面４５および第６面４６は、互いに平行である。第５面４５および第６面４６は、中心軸１０１の軸方向に対して斜め方向の平面内に配置されている。第５面４５および第６面４６は、中心軸１０１の軸方向に沿って延在する滑らかな平面である。第５面４５および第６面４６は、平行四辺形の平面視を有する第１面４１および第２面４２の、中心軸１０１の軸方向に沿った端辺に連なっている。
【００４４】
図３は、図１中の矢印ＩＩＩに示す方向から見た永久磁石を示す図である。図３を参照して、第３面４３と第５面４５とが交わる位置には、稜線５１が形成されている。第５面４５と第４面４４とが交わる位置には、稜線５２が形成されている。第３面４３と第６面４６とが交わる位置には、稜線５３が形成されている。第６面４６と第４面４４とが交わる位置には、稜線５４が形成されている。
【００４５】
稜線５１、稜線５２、稜線５３および稜線５４は、互いに平行である。中心軸１０１から、永久磁石３１の周方向における中心位置（稜線５２と稜線５３との間の中心位置）に向けて延びる仮想直線１０２を想定した場合に、仮想直線１０２と、稜線５１、稜線５２、稜線５３および稜線５４とは互いに平行である。
【００４６】
第５面４５は、稜線５１と稜線５２との間において、稜線５１および稜線５２に平行な直線が連続して並ぶ平面により構成されている。第６面４６は、稜線５３および稜線５４の間において、稜線５３および稜線５４に平行な直線が連続して並ぶ平面により構成されている。
【００４７】
図４から図８は、この発明の実施の形態１におけるロータの製造方法の工程を示す図である。続いて、この発明の実施の形態１におけるロータの製造方法により、図１中のロータ１０を製造する工程について説明する。
【００４８】
図４を参照して、まず、永久磁石３１を製造する工程を実施する。本工程時、薄板状の磁石ブロック６１を準備する。磁石ブロック６１は、薄板状の直方体形状を有する。磁石ブロック６１は、その厚み方向から見た場合に、長手方向と短手方向とを有する矩形形状の平面視を有する。
【００４９】
図５を参照して、次に、磁石ブロック６１をその厚み方向に切断することによって、磁石ブロック６１の分割体であるブロック分割体３２を得る。
【００５０】
本実施の形態では、磁石ブロック６１を、矩形形状の平面視における短手方向に沿って切断する。磁石ブロック６１を、５５個のブロック分割体３２に分割する。ブロック分割体３２は、磁石ブロック６１の平面視における長手方向が厚み方向となる薄板形状を有する。
【００５１】
図６を参照して、次に、ブロック分割体３２を互いに接合することによって、元の磁石ブロック６１に対応する形状を有する磁石ブロック（以下、「分割体接合ブロック」という）６２を形成する。
【００５２】
より具体的には、複数のブロック分割体３２を、前の工程におけるブロック分割体３２の切断面同士が向かい合わせとなるように、一方向に積層する。接着剤を用いて、ブロック分割体３２同士を接合する。本工程により得られる分割体接合ブロック６２は、磁石ブロック６１に対応する形状の薄板状の直方体形状を有する。しかしながら、磁石ブロック６１の切断時における切り屑の発生や、接着剤層の厚みまたは組み立て精度のばらつき等に起因して、分割体接合ブロック６２の形状は、必ずしも磁石ブロック６１の形状に一致するわけではない。
【００５３】
分割体接合ブロック６２は、第１側面７１、第２側面７２、第３側面７３、第４側面７４、第５側面７５および第６側面７６を有する。
【００５４】
第１側面７１および第２側面７２は、互いに表裏に配置されている。第１側面７１および第２側面７２は、分割体接合ブロック６２の厚み方向に直交する平面である。分割体接合ブロック６２をその厚み方向から見た場合に、第１側面７１および第２側面７２は、矩形形状の平面視を有する。
【００５５】
第３側面７３および第４側面７４は、互いに表裏に配置されている。第３側面７３および第４側面７４は、それぞれ、ブロック分割体３２の積層方向における分割体接合ブロック６２の両端に配置されている。第３側面７３および第４側面７４は、矩形形状の平面視を有する第１側面７１および第２側面７２の短辺に連なっている。第３側面７３および第４側面７４は、積層された複数のブロック分割体３２のうち、その両端に配置されたブロック分割体３２の表面により構成されている。
【００５６】
第５側面７５および第６側面７６は、互いに表裏に配置されている。第５側面７５および第６側面７６は、それぞれ、分割体接合ブロック６２の厚み方向およびブロック分割体３２の積層方向に直交する方向における分割体接合ブロック６２の両端に配置されている。第５側面７５および第６側面７６は、矩形形状の平面視を有する第１側面７１および第２側面７２の長辺に連なっている。
【００５７】
図７および図８を参照して、次に、分割体接合ブロック６２を加工することによって、厚み方向において互いに表裏に配置される第１面４１および第２面４２と、第１面４１および第２面４２に連なり、互いに表裏に配置される第３面４３および第４面４４と、第１面４１、第２面４２、第３面４３および第４面４４に連なり、互いに表裏に配置される第５面４５および第６面４６とを含み、第１面４１および第２面４２の平面視が平行四辺形となり、第３面４３および第４面４４が互いに平行となり、第５面４５および第６面４６が、第３面４３から第４面４４に向けて平面状に延在する形状（すなわち、図２中の永久磁石３１が有するスキュー形状）を、分割体接合ブロック６２に形成する。
【００５８】
より具体的には、図７中に示すように、分割体接合ブロック６２の第３側面７３を、第３側面７３に対して斜め方向に沿って切断し（図７中の点線１０３に示す加工）、分割体接合ブロック６２の第４側面７４を、第４側面７４に対して斜め方向に沿って切断する（図７中の点線１０４に示す加工）。これにより、第３側面７３の加工面を、永久磁石３１の第３面４３とし、第４側面７４の加工面を、永久磁石３１の第４面４４とする。また、第５側面７５を、未加工のまま永久磁石３１の第５面４５とし、第６側面７６を、未加工のまま永久磁石３１の第６面４６とする。第５面４５および第６面４６は、第３面４３から第４面４４に向けて延在する滑らかな平面となる。
【００５９】
なお、分割体接合ブロック６２の第５側面７５および第６側面７６を切断し、これらの加工面を、永久磁石３１の第５面４５および第６面４６としてもよい。
【００６０】
図８中に示すように、分割体接合ブロック６２の第１側面７１を、第２側面７２から見て凹となる円弧形状に切断する（図８中の点線１０５に示す加工）。分割体接合ブロック６２の第２側面７２を、第１側面７１から見て凸となる円弧形状に切断する（図８中の点線１０６に示す加工）。これにより、第１側面７１の加工面を、永久磁石３１の第１面４１とし、第２側面７２の加工面を、永久磁石３１の第２面４２とする。
【００６１】
次に、分割体接合ブロック６２の表面に塗装処理を行なうことにより、図２中の永久磁石３１を得る。
【００６２】
本実施の形態では、塊状の分割体接合ブロック６２に対して塗装処理を行なうため、ブロック分割体３２の個々に塗装処理を行なう場合と比較して、塗装工程を簡略化することができる。
【００６３】
図１を参照して、続いて、ロータコア２１の外周上に複数の永久磁石３１を設ける工程を実施する。本工程時、第１面４１が、ロータコア２１の外周面と向かい合わせとなり、第３面４３および第４面４４が、それぞれ、ロータコア２１の軸方向（中心軸１０１の軸方向）における永久磁石３１の両端に位置決めされ、互いに隣り合う永久磁石３１間において、第５面４５および第６面４６が向かい合わせとなるように、ロータコア２１の外周上に複数の永久磁石３１を配置する。
【００６４】
永久磁石３１の第１面４１および／またはロータコア２１の外周面に塗布された接着剤によって、複数の永久磁石３１をロータコア２１に接合する。以上の工程により、図１中のロータ１０が完成する。
【００６５】
図９は、図６中に示す分割体接合ブロックの第１変形例を示す斜視図である。図９を参照して、本変形例では、磁石ブロック６１をその厚み方向に切断することによって、磁石ブロック６１の分割体であるブロック分割体３３を得る。この際、磁石ブロック６１を、矩形形状の平面視における長手方向に沿って切断する。次に、ブロック分割体３３を互いに接合することによって、磁石ブロック６１に対応する形状を有する分割体接合ブロック６３を形成する。
【００６６】
図１０は、図６中に示す分割体接合ブロックの第２変形例を示す図である。図１０を参照して、本変形例では、磁石ブロック６１をその厚み方向に切断することによって、磁石ブロック６１の分割体であるブロック分割体３４を得る。この際、磁石ブロック６１を、矩形形状の平面視における短手方向および長手方向に沿って切断する。次に、ブロック分割体３４を互いに接合することによって、磁石ブロック６１に対応する形状を有する分割体接合ブロック６４を形成する。
【００６７】
これらの変形例に示すように、磁石ブロック６１の分割方法は、渦電流損の発生を抑制可能なものであれば、特に限定されない。
【００６８】
続いて、本実施の形態におけるロータ１０およびロータの製造方法によって奏される作用効果について、理想的なスキュー形状や比較例におけるスキュー形状の問題点を交えながら説明する。
【００６９】
図１１および図１２は、理想的なスキューの基本概念を示す斜視図である。図中では、中心軸１０１の軸方向における永久磁石１３０の長さ（高さ）がＨである場合に、その高さ方向における永久磁石１３０の上端位置が「＋Ｈ／２」と示され、その高さ方向における永久磁石１３０の下端位置が「−Ｈ／２」と示され、永久磁石１３０の上端位置と下端位置との中間位置が「０」と示されている。図１２中では、ある特定位置からの、中心軸１０１の軸周りにおける角度が「θ」と示されている。
【００７０】
図１１および図１２を参照して、理想的なスキュー形状を有する永久磁石１３１は、半径方向から見た場合に矩形形状を有する永久磁石１３０を、中心軸１０１を中心とする周方向に捩じることによって得られる。
【００７１】
より具体的には、永久磁石１３０の中間位置から上端位置にかけて、永久磁石１３０を矢印１１１に示す一方向に捩じり、永久磁石１３０の中間位置から下端位置にかけて、永久磁石１３０を矢印１１２に示す反対方向に捩じることによって、理想的なスキュー形状を有する永久磁石１３１が得られる。
【００７２】
図１３は、図１２中の矢印ＸＩＩＩに示す方向から見た永久磁石を示す図である。図中には、図３中の永久磁石３１に対応付けて永久磁石１３１に参照番号が付されている。
【００７３】
図１３を参照して、理想的なスキュー形状を有する永久磁石１３１では、稜線５１および稜線５３が、互いに平行であり、稜線５２および稜線５４が、互いに平行である。中心軸１０１から、永久磁石１３１の周方向における中心位置（稜線５２と稜線５３との間の中心位置）に向けて延びる仮想直線１０２を想定した場合に、稜線５１および稜線５３は、仮想直線１０２に対して、周方向における一方の側（図１１中の矢印１１１に示す捩じり方向）に傾いており、稜線５２および稜線５４は、仮想直線１０２に対して、周方向における他方の側（図１１中の矢印１１２に示す捩じり方向）に傾いている。
【００７４】
このため、理想的なスキュー形状においては、第５面４５が、稜線５１から稜線５２に向けて、仮想直線１０２に対する傾きを変化させながら延在する湾曲面により構成され、第６面４６が、稜線５３から稜線５４に向けて、仮想直線１０２に対する傾きを変化させながら延在する湾曲面により構成されている。この場合、第５面４５および第６面４６を３次元的な湾曲面に加工する必要があるため、永久磁石１３１の製造工程が複雑となる。
【００７５】
一方、本実施の形態では、永久磁石３１が、第５面４５および第６面４６が第３面４３から第４面４４に向けて平面状に延在し、互いに平行となるスキュー形状を有する。このため、スキュー形状を得るための永久磁石３１の加工工程が簡易となる。
【００７６】
図１４は、本実施の形態におけるスキュー形状と、理想的なスキュー形状とのずれ（ステータとのギャップ側）を示すグラフである。図１５は、本実施の形態におけるスキュー形状と、理想的なスキュー形状とのずれ（ロータコア側）を示すグラフである。
【００７７】
図１４および図１５を参照して、本実施の形態におけるスキュー形状が実線１４１によって示され、理想的なスキュー形状が点線１４２によって示されている。本実施の形態におけるスキュー形状は、永久磁石１３０の中間位置「０」から上端位置「＋Ｈ／２」および下端位置「−Ｈ／２」に向かうほど、理想的なスキュー形状からのずれ量が大きくなるものの、そのずれ量は、コギングトルクを低減するスキュー効果に大きく影響しない程度であり、許容可能である。
【００７８】
図１６は、比較例におけるスキュー形状を有する永久磁石を示す図である。図１６を参照して、本比較例におけるスキュー形状を有する永久磁石２３１は、複数の分割体接合ユニット２３２が組み合わさって構成されている。複数の分割体接合ユニット２３２が、周方向に一定間隔でずれながらロータの回転軸方向に積層されることによって、疑似的なスキュー形状が実現されている。各分割体接合ユニット２３２は、ロータの回転軸方向に積層された複数のブロック分割体２３３（本実施の形態におけるブロック分割体３２に対応）から構成されている。
【００７９】
本比較例では、まず、複数のブロック分割体２３３を接合することによって、分割体接合ユニット２３２を形成する。そのあと、複数の分割体接合ユニット２３２をロータコアの外周面に接合する。この場合、複数の分割体接合ユニット２３２をロータの回転軸方向に積み重ねるため、ロータの回転軸方向における永久磁石２３１の寸法精度が悪くなる。また、ロータコアの外周面に接合する分割体接合ユニット２３２の数が多く、さらに、各永久磁石２３１において、複数の分割体接合ユニット２３２を位置をずらしながらロータコアの外周面に貼り付ける必要があるため、ロータの製造工程が煩雑となる。
【００８０】
これに対して、本実施の形態では、図７中に示す工程において、分割体接合ブロック６２の第３側面７３および第４側面７４を加工するため、ブロック分割体３２の積層方向（ロータの回転軸方向）において永久磁石３１の寸法を精度よく仕上げることができる。また、各永久磁石３１は、１つの分割体接合ブロック６２から構成されるため、より少ない工数で、かつ、熟練の技術を要することなく、永久磁石３１の貼り付け作業を行なうことができる。
【００８１】
このように構成された、この発明の実施の形態１におけるロータ１０およびロータの製造方法によれば、コギングトルクの低減が図られたロータを、簡易な製造工程により得ることができる。
【００８２】
なお、本実施の形態では、本発明を工作機械の主軸モータ用ロータに適用した場合について説明したが、このような場合に限られず、たとえば、本発明を一般的な産業機械に用いられるモータに適用することも可能である。
【００８３】
（実施の形態２）
図１７は、この発明の実施の形態２におけるロータを構成する永久磁石を示す三面図である。図１７は、実施の形態１における図２に対応する。本実施の形態におけるロータおよびロータの製造方法は、実施の形態１におけるロータ１０およびロータの製造方法と比較して、基本的には、同様の構造および工程を備える。以下、重複する構造および工程については、その説明を繰り返さない。
【００８４】
図１７を参照して、本実施の形態におけるロータは、実施の形態１における永久磁石３１に替えて、永久磁石３６を有する。永久磁石３６は、磁石ブロックから構成されている。永久磁石３６は、実施の形態１における、複数のブロック分割体３２の接合体からなる永久磁石３１と同じ外観を有する。
【００８５】
図４を参照して、本実施の形態におけるロータの製造方法では、永久磁石３６を製造する工程時、薄板状の磁石ブロック６１を準備する。
【００８６】
図１７を参照して、次に、磁石ブロック６１を加工することによって、厚み方向において互いに表裏に配置される第１面４１および第２面４２と、第１面４１および第２面４２に連なり、互いに表裏に配置される第３面４３および第４面４４と、第１面４１、第２面４２、第３面４３および第４面４４に連なり、互いに表裏に配置される第５面４５および第６面４６とを含み、第１面４１および第２面４２の平面視が平行四辺形となり、第３面４３および第４面４４が互いに平行となり、第５面４５および第６面４６が、第３面４３から第４面４４に向けて平面状に延在し、互いに平行となる形状を、磁石ブロック６１に形成する。具体的には、実施の形態１における分割体接合ブロック６２の加工に倣って、磁石ブロック６１の加工を実施する。
【００８７】
次に、磁石ブロック６１の表面に塗装処理を行なうことにより、図１７中の永久磁石３６を得る。
【００８８】
このように構成された、この発明の実施の形態２におけるロータおよびロータの製造方法によれば、実施の形態１に記載の効果を同様に奏することができる。
【００８９】
（実施の形態３）
図１８は、この発明の実施の形態３におけるロータを構成する永久磁石を示す図である。図１８は、実施の形態１における図３に対応する。本実施の形態におけるロータおよびロータの製造方法は、実施の形態１におけるロータ１０およびロータの製造方法と比較して、基本的には、同様の構造および工程を備える。以下、重複する構造および工程については、その説明を繰り返さない。
【００９０】
図１８を参照して、本実施の形態におけるロータは、実施の形態１における永久磁石３１に替えて、永久磁石３７を有する。
【００９１】
第５面４５および第６面４６は、第３面４３から第４面４４に向けて平面状に延在している。第５面４５および第６面４６は、互いに非平行である。第５面４５および第６面４６は、永久磁石３７を中心軸１０１の半径方向外側から見た場合に、中心軸１０１に対して斜め方向に傾いている。第５面４５および第６面４６は、永久磁石３７を中心軸１０１の軸方向から見た場合に、中心軸１０１の半径方向に沿って設けられている。第５面４５および第６面４６は、中心軸１０１の内周側から外周側に向かうほど、中心軸１０１および仮想直線１０２を含む仮想平面から遠ざかるように設けられている。稜線５１および稜線５２は、互いに平行であり、稜線５３および稜線５４は、互いに平行である。稜線５１および稜線５２と、稜線５３および稜線５４とは、互いに非平行である。
【００９２】
本実施の形態におけるロータの製造方法では、実施の形態１における分割体接合ブロック６２の加工時に、第５面４５および第６面４６が、第３面４３から第４面４４に向けて平面状に延在し、かつ、中心軸１０１の半径方向に沿って延在するスキュー形状を、分割体接合ブロック６２に加工する。
【００９３】
なお、実施の形態２における永久磁石３６に、本実施の形態における第５面４５および第６面４６の形状を適用してもよい。
【００９４】
このように構成された、この発明の実施の形態３におけるロータおよびロータの製造方法によれば、実施の形態１に記載の効果を同様に奏することができる。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００９６】
この発明は、たとえば、マシニングセンタの主軸を回転駆動させるモータに適用される。
【符号の説明】
【００９７】
１０  ロータ、２１  ロータコア、２３，２４  端面、３１，３６，３７，１３０，１３１，２３１  永久磁石、３２，３３，３４，２３３  ブロック分割体、４１  第１面、４２  第２面、４３  第３面、４４  第４面、４５  第５面、４６  第６側面、５１，５２，５３，５４  稜線、６１  磁石ブロック、６２，６３，６４  分割体接合ブロック、７１  第１側面、７２  第２側面、７３  第３側面、７４  第４側面、７５  第５側面、７６  第６側面、１０１  中心軸、１０２  仮想直線、２３２  分割体接合ユニット。
【図１】
2017208977.tif 000003
【図２】
2017208977.tif 000004
【図３】
2017208977.tif 000005
【図４】
2017208977.tif 000006
【図５】
2017208977.tif 000007
【図６】
2017208977.tif 000008
【図７】
2017208977.tif 000009
【図８】
2017208977.tif 000010
【図９】
2017208977.tif 000011
【図１０】
2017208977.tif 000012
【図１１】
2017208977.tif 000013
【図１２】
2017208977.tif 000014
【図１３】
2017208977.tif 000015
【図１４】
2017208977.tif 000016
【図１５】
2017208977.tif 000017
【図１６】
2017208977.tif 000018
【図１７】
2017208977.tif 000019
【図１８】
2017208977.tif 000020
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
ロータコアと、前記ロータコアの外周上に周方向に並んで配置され、前記ロータコアの軸方向に対して傾いて設けられる複数の永久磁石とを備えるロータの製造方法であって、
前記永久磁石を製造する工程と、
前記ロータコアの外周上に複数の前記永久磁石を設ける工程とを備え、
前記永久磁石を製造する工程は、
薄板状の磁石ブロックを準備する工程と、
前記磁石ブロックを加工することによって、厚み方向において互いに表裏に配置される第１面および第２面と、前記第１面および前記第２面に連なり、互いに表裏に配置される第３面および第４面と、前記第１面、前記第２面、前記第３面および前記第４面に連なり、互いに表裏に配置される第５面および第６面とを含み、前記第１面および前記第２面の平面視が平行四辺形となり、前記第３面および前記第４面が互いに平行となり、前記第５面および前記第６面が、前記第３面から前記第４面に向けて平面状に延在する形状を、前記磁石ブロックに形成する工程とを含み、
前記ロータコアの外周上に複数の永久磁石を設ける工程は、
前記第１面が、前記ロータコアの外周面と向かい合わせとなり、前記第３面および前記第４面が、それぞれ、前記ロータコアの軸方向における前記永久磁石の両端に位置し、互いに隣り合う前記永久磁石間において、前記第５面および前記第６面が向かい合わせとなる姿勢により、前記ロータコアの外周上に複数の前記永久磁石を配置する工程を含む、ロータの製造方法。
【請求項２】
前記磁石ブロックを準備する工程は、
薄板状の磁石ブロックをその厚み方向に切断することによって、前記磁石ブロックの分割体を得る工程と、
前記磁石ブロックの分割体を互いに接合することによって、元の前記磁石ブロックに対応する形状を有する磁石ブロックを得る工程とを含む、請求項１に記載のロータの製造方法。
【請求項３】
前記磁石ブロックの分割体を互いに接合する工程は、前記磁石ブロックの分割体を一方向に積層する工程を含み、
前記磁石ブロックを加工する工程は、前記磁石ブロックの分割体の積層方向において両端に位置する前記磁石ブロックの端面を加工する工程を含む、請求項２に記載のロータの製造方法。
【請求項４】
前記永久磁石を製造する工程は、前記磁石ブロックを加工する工程の後に、前記磁石ブロックの表面を塗装する工程をさらに含む、請求項２または３に記載のロータの製造方法。
【請求項５】
前記永久磁石を製造する工程は、前記磁石ブロックを加工することによって、前記第１面および前記第２面が、前記第５面から前記第６面に向けて円弧状に延在する形状を、前記磁石ブロックに形成する工程をさらに含む、請求項１から４のいずれか１項に記載のロータの製造方法。
【手続補正２】
【補正対象書類名】明細書
【補正対象項目名】０００６
【補正方法】変更
【補正の内容】
【０００６】
この発明に従ったロータの製造方法は、ロータコアと、ロータコアの外周上に周方向に並んで配置され、ロータコアの軸方向に対して傾いて設けられる複数の永久磁石とを備えるロータの製造方法である。ロータの製造方法は、永久磁石を製造する工程と、ロータコアの外周上に複数の永久磁石を設ける工程とを備える。永久磁石を製造する工程は、薄板状の磁石ブロックを準備する工程と、磁石ブロックを加工することによって、厚み方向において互いに表裏に配置される第１面および第２面と、第１面および第２面に連なり、互いに表裏に配置される第３面および第４面と、第１面、第２面、第３面および第４面に連なり、互いに表裏に配置される第５面および第６面とを含み、第１面および第２面の平面視が平行四辺形となり、第３面および第４面が互いに平行となり、第５面および第６面が、第３面から第４面に向けて平面状に延在する形状を、磁石ブロックに形成する工程とを含む。ロータコアの外周上に複数の永久磁石を設ける工程は、第１面が、ロータコアの外周面と向かい合わせとなり、第３面および第４面が、それぞれ、ロータコアの軸方向における永久磁石の両端に位置し、互いに隣り合う永久磁石間において、第５面および第６面が向かい合わせとなる姿勢により、ロータコアの外周上に複数の永久磁石を配置する工程を含む。